(57)【特許請求の範囲】
【請求項１】
便器本体に取り付けられて該便器本体の便鉢の内部を照明する照明装置において、
前記便器本体の上部に設けられた光源から照射した光を前記便器本体の上部に取り付けられた便座の裏面で前記便鉢の内部に向かって反射させ、前記便鉢の内部を照明し、
前記便座の裏面には、前記光源と離間する側に水平面となる水平部が形成され、前記光源に近接する側に該光源に近接するにしたがって上側に向かう傾斜面となる傾斜部と、前記水平部と前記傾斜部とが接続される角部と、が形成されていて、
前記光源から照射した光を前記傾斜部および前記角部で前記便鉢の内部に向かって反射させることを特徴とする照明装置。
【請求項２】
便器本体に取り付けられて該便器本体の便鉢の内部を照明する照明装置において、
前記便器本体の上部で使用者が着座する際の横臥した姿勢の便座の裏面よりも下側に設けられた光源から照射した光を、前記便器本体の上部に取り付けられて前記横臥した姿勢の便座の裏面で前記便鉢の内部に向かって反射させ、前記便鉢の内部を照明することを特徴とする照明装置。
【請求項３】
前記光源を前記便器本体の幅方向の中央部の両側に間隔をあけてそれぞれ配置した請求項１または２に記載の照明装置。
【請求項４】
前記便鉢の内部の照明がオンの状態において、前記便座がその裏面が前記便器本体と離間するように上げられた姿勢となると、前記便鉢の内部の照明をオフとする制御を行う請求項１乃至３のいずれか一項に記載の照明装置。
【請求項５】
請求項１乃至４のいずれか一項に記載の照明装置が設けられていることを特徴とする便器。
【発明の詳細な説明】
【技術分野】
【０００１】
本発明は、便器本体に取り付けられて便鉢の内部を照明する照明装置および照明装置が設けられた便器に関する。
【背景技術】
【０００２】
従来、便器本体に便鉢の内部を照明する照明装置が取り付けられた便器が知られている（例えば、特許文献１参照）。特許文献１に開示された照明装置では、照射された光は、洋風便器が立姿にて男子小用に使用される場合の放尿箇所指示用スポット形成している。
【先行技術文献】
【特許文献】
【０００３】
【特許文献１】特開２００２−１１９４４２号公報
【発明の概要】
【発明が解決しようとする課題】
【０００４】
ところで、便鉢の内部を照明してその明かりをトイレ空間の照明とすることがある。
しかしながら、便鉢の内部を照明する照明装置は、照明装置から照射された光のうちの光軸の部分がその周りの部分と比べて鉢面で反射して強く光るため、明るさが均一とならないことがある。
【０００５】
そこで、本発明は、便鉢の内部を均一に照明することができる照明装置および便器を提供することを目的とする。
【課題を解決するための手段】
【０００６】
上記目的を達成するため、本発明に係る照明装置は、便器本体に取り付けられて該便器本体の便鉢の内部を照明する照明装置において、前記便器本体の上部に設けられた光源から照射した光を前記便器本体の上部に取り付けられた便座の裏面で前記便鉢の内部に向かって反射させ、前記便鉢の内部を照明し、前記便座の裏面には、前記光源と離間する側に水平面となる水平部が形成され、前記光源に近接する側に該光源に近接するにしたがって上側に向かう傾斜面となる傾斜部と、前記水平部と前記傾斜部とが接続される角部と、が形成されていて、前記光源から照射した光を前記傾斜部および前記角部で前記便鉢の内部に向かって反射させることを特徴とする。
また、本発明に係る便器は、上記の照明装置が設けられていることを特徴とする。
【０００７】
本発明では、光源から照射された光が便座の裏面で一次反射してから便鉢の内部を照射するため、光源から光を直接便鉢の内部に照射する場合と比べて、光のうちの光軸の部分とその周りの部分との明るさの差が少なく便鉢の内部を均一に照射することができる。また、光源から照射された光は、便座の裏面で反射してから下側の便鉢の内部に向かうため、使用者に向かって光が照射されることがなく、使用者が強く眩しさを感じることを無くすことができる。
また、本発明に係る照明装置では、便座の裏面には、光源と離間する側に水平面となる水平部が形成され、光源に近接する側に該光源に近接するにしたがって上側に向かう傾斜面となる傾斜部と、水平部と傾斜部とが接続される角部と、が形成されていて、光源から照射した光を傾斜部および角部で便鉢の内部に向かって反射させる構成としている。
このような構成とすることにより、光源から照射した光を便鉢の内部に向かって多方向に反射させることができる。
また、本発明に係る照明装置は、便器本体に取り付けられて該便器本体の便鉢の内部を照明する照明装置において、前記便器本体の上部で使用者が着座する際の横臥した姿勢の便座の裏面よりも下側に設けられた光源から照射した光を、前記便器本体の上部に取り付けられて前記横臥した姿勢の便座の裏面で前記便鉢の内部に向かって反射させ、前記便鉢の内部を照明することを特徴とする。
【０００８】
また、本発明に係る照明装置では、前記光源を前記便器本体の幅方向の中央部の両側に間隔をあけてそれぞれ配置することが好ましい。
このような構成とすることにより、便器本体の幅方向の中央部の両側それぞれから光が照射されるため、便鉢の内部を均一に照明することができる。なお、幅方向とは便座の前後方向に直交する水平方向を示している。
また、便座は、略Ｏ字状や略Ｕ字状に形成されていて幅方向の両側に前後方向に延びる着座部分が形成されているため、便器本体の幅方向の中央部の両側に光源が配置されていることにより、便座の裏面のうちの幅方向の両側に形成された着座部分の広い範囲に光を照射させて反射させることができる。
【００１０】
また、本発明に係る照明装置では、前記便鉢の内部の照明がオンの状態において、前記便座がその裏面が前記便器本体と離間するように上げられた姿勢となると、前記便鉢の内部の照明をオフとする制御を行うことが好ましい。
このような構成とすることにより、照明がオンの状態で便座が上げられた状態になっても、照明がオフとなるため光源から照射された光が使用者の目に入ることがない。
【発明の効果】
【００１１】
本発明によれば、便鉢の内部を均一に照明することができる。
【図面の簡単な説明】
【００１２】
【図１】本発明の実施形態による便器の一例を示す斜視図である。
【図２】機能部の内部を示す斜視図である。
【図３】便座の裏面を説明するための斜視図である。
【図４】光源の位置を説明するための平面図である。
【図５】光源から照射された光の進む方向を説明するための図で図４のＡ−Ａ線断面による便鉢の内部の形状を破線で示した図である。
【図６】光源から照射された光の進む方向を説明するための図で図４のＢ−Ｂ線断面による便鉢の内部の形状を破線で示した図である。
【発明を実施するための形態】
【００１３】
以下、本発明の実施形態による照明装置および便器について、図１乃至図６に基づいて説明する。
図１に示すように、本実施形態による便器１は、水洗式大便器で、トイレ空間１１の床面１２に設置され下方に延びる排水配管（不図示）に接続された便器本体２と、便器本体２に取り付けられた機能部３と、機能部３を介して便器本体２に回動可能に取り付けられた便座４と、を有している。
【００１４】
図２に示すように、機能部３とは、局部洗浄装置６、除菌・脱臭装置７、便器本体２の便鉢２１の内部を照明する照明装置８などの各種機能装置や各種機能部品、これらの各種機能装置や各種機能部品の駆動を制御する制御部（不図示）、各種機能装置や各種機能部品および制御部に電力を供給するための電力部（不図示）、および、これらを収容するケース９などを示している。
ここで、便器１の機能部３が設けられている側を前後方向の後側とし、便座４が設けられている側を前後方向の前側とする。またこの前後方向に直交する水平方向を幅方向とする。
【００１５】
図１および図３に示すように、便座４は、使用者が着座する際の横臥した姿勢（以下、横臥姿勢とする）において、高さ方向に所定の厚みを有し平面視が環状となるように形成された本体部４１と、本体部４１の下面４１ａ（図３参照）から下側に突出する４つの突出部４２，４２…（図３参照）と、を有している。図１に示すように、便座４は、横臥姿勢における後端部４１ｂ近傍が機能部３（図１参照）を介して便器本体２に取り付けられていて、この後端部４１ｂ近傍において幅方向に延びる回動軸４３を中心に回動可能に構成されている。
４つの突出部４２，４２…は、横臥姿勢において幅方向に間隔をあけて２つずつ、前後方向に間隔をあけて２つずつ配置されている。便座４が横臥姿勢となると、４つの突出部４２，４２…が便器本体２の上面２ａ（図１参照）と当接し、本体部４１の下面４１ａと便器本体２の上面２ａとの間に隙間が形成される。
【００１６】
また、本体部４１には、横臥姿勢における後端部４１ｂ近傍の下面４１ａに、後側に向かって漸次上側に向かう傾斜面となる傾斜部４４が幅方向全体にわたって形成されている。本体部４１の傾斜部４４の横臥姿勢における前側には、略水平面となる水平部４５が形成されていて、傾斜部４４と水平部４５とは角部４６で接続されている。
【００１７】
図２および図４に示すように、照明装置８は、ケース９の前面９ａの幅方向の両側方（便器本体２の幅方向の中央部の両側）にそれぞれ設けられた一対の光源となるＬＥＤ（光源）８１，８１を有している。一対のＬＥＤ８１，８１は、それぞれ横臥姿勢の便座４の本体部４１の傾斜部４４および便座４の後部側に形成された突出部４２と対向する位置に配置されている。本実施形態では、一対のＬＥＤ８１，８１から照射される光は、前側にむかって略水平方向に照射される。
また、本実施形態では、一対のＬＥＤ８１，８１の光の色は、それぞれ青色としている。
【００１８】
図５および図６に示すように、一対のＬＥＤ８１，８１から照射された光Ｌは、それぞれ横臥姿勢の便座４の傾斜部４４および突出部４２にそれぞれあたり、便鉢２１の内部に向かうように反射して便鉢２１の内部を照明するように構成されている。
本実施形態では、除菌・脱臭装置７によるトイレ空間１１の除菌・脱臭を行う期間に、照明装置８によって便鉢２１の内部を照明している。
なお、ＬＥＤ８１，８１は、便座４が横臥姿勢であると、便座４の下側に配置されているが、便座４が上げられた姿勢となると露出することになる。このため、便器１に便座４の開閉（横臥姿勢であるか上げられた姿勢であるか）を検知するセンサが設けられていて、便座が上げられた状態となるとＬＥＤ８１，８１が消灯するように設定されていることが好ましい。このように設定されることで、便座４を上げた使用者の目にＬＥＤ８１，８１の光が直接入ることを防止することができる。
【００１９】
次に、上述した本実施形態による照明装置８および便器１の作用・効果について図面を用いて説明する。
本実施形態では、ＬＥＤ８１，８１から照射された光が便座の裏面で一次反射してから便鉢２１の内部を照射するため、ＬＥＤ８１，８１から光を直接便鉢２１の内部に照射する場合と比べて、光のうちの光軸の部分とその周りの部分との明るさの差が少なく便鉢２１の内部を均一に照射することができる。また、ＬＥＤ８１，８１から照射された光は、便座４の裏面で反射してから下側の便鉢２１の内部に向かうため、使用者に向かって光が照射されることがなく、使用者が強く眩しさを感じることを無くすことができる。
また、ＬＥＤ８１，８１から照射される光は、略水平方向に照射されることにより、使用者に向かって直接照射されることがない。
【００２０】
また、ＬＥＤ８１，８１が機能部３の幅方向の中央部の両側に間隔をあけてそれぞれ配置されていることにより、便器本体２の幅方向の中央部の両側それぞれから光が照射されるため、便鉢２１の内部を均一に照明することができる。また、便座４は、略Ｏ字状や略Ｕ字状に形成されていて幅方向の両側に前後方向に延びる着座部分があるため、機能部３の幅方向の中央部の両側にそれぞれＬＥＤ８１，８１が配置されていることにより、便座４の着座部分の裏面の広い範囲に光を照射させて反射させることができる。
また、便座４の幅方向の両側に前後方向に延びる着座部分によって、ＬＥＤ８１，８１それぞれを便座４の上方に露出しないように隠すことができる。
【００２１】
また、便座４の裏面の傾斜部４４、角部４６および突出部４２にＬＥＤ８１，８１の光を照射することにより、ＬＥＤ８１，８１が照射した光を便鉢２１の内部に向かって多方向に反射させることができ、便鉢２１の内部を均一に照明することができる。
また、便座４の本体部４１によって、ＬＥＤ８１，８１から照射された上方に進む光を抑えることができる。
【００２２】
以上、本発明による照明装置８および便器１の実施形態について説明したが、本発明は上記の実施形態に限定されるものではなく、その趣旨を逸脱しない範囲で適宜変更可能である。
例えば、上記の実施形態では、ＬＥＤ８１，８１は、機能部３の幅方向の中央部の両側それぞれに間隔をあけて設けられているが、機能部３の中央部や、機能部３の幅方向の一方側のみに設けられていてもよい。また、機能部３の幅方向の中央部の両側に加えて幅方向の中央部にも設けてもよく、設置される位置や数は、適宜設定されてもよい。
また、上記の実施形態では、便座４の裏面の傾斜部４４、角部４６および突出部４２にＬＥＤ８１，８１の光をあてて便鉢２１の内部に向かって反射させているが、便座４の裏面にＬＥＤ８１，８１の光をあてて便鉢２１の内部に向かって反射させる構成であれば、水平部４５にＬＥＤ８１，８１の光をあてて便鉢２１の内部に向かって反射させてもよい。
また、上記の実施形態では、ＬＥＤ８１，８１を照明装置８の光源としているが、ＬＥＤ以外の電球などを照明装置８の光源としてもよい。また、ＬＥＤ８１，８１の光の色は適宜設定されてよい。
【００２３】
また、上記の実施形態による照明装置８と併せて、便鉢２１の内部を直接照明する従来の照明装置が設けられていてもよい。
また、上記の実施形態では、便器１に便蓋が設けられていないが、便器１に便蓋が設けられていて、便鉢２１の内部を照明する光が便蓋と便器本体２との隙間から外部に漏れるようにしてもよい。
【００２４】
また、上記の実施形態では、除菌・脱臭装置７によるトイレ空間１１の除菌・脱臭を行う期間に、照明装置８によって便鉢２１の内部を照明しているが、便鉢２１の内部を照明する期間は適宜設定されてよい。例えば、便器１を使用して水を流した後に便鉢２１の内部を照明したり、便蓋を開いた際に便鉢２１の内部を照明したりしてもよい。また、夜間にトイレ空間の照明として便鉢２１の内部を照明してもよい。また、使用者が任意に便鉢２１の内部を照明してもよい。  
【符号の説明】
【００２５】
１  便器
２  便器本体
３  機能部
４  便座
８  照明装置
２１  便鉢
４４  傾斜部
４５  水平部
４６  角部
８１  ＬＥＤ（光源）
【図１】
0006527428.tif 000002
【図２】
0006527428.tif 000003
【図３】
0006527428.tif 000004
【図４】
0006527428.tif 000005
【図５】
0006527428.tif 000006
【図６】
0006527428.tif 000007